(57)【要約】【課題】表示装置の電源をオンした状態のままでユーザが電話等に集中することができる表示装置を提供する。【解決手段】画像を表示する液晶パネル６と、音声を出力するスピーカ１０と、液晶パネル６に表示される画像の輝度及びスピーカ１０から出力される音声の音量をそれぞれ制御する制御部４６と、ユーザの操作を受け付けるリモコン受光部４８と、を備え、制御部４６は、リモコン受光部４８により受け付けられたユーザの操作に基づいて、通常モードとマナーモードとに切り替え可能であり、通常モードでは、制御部４６は、ユーザにより設定された輝度で画像を液晶パネル６に表示させ、且つ、ユーザにより設定された音量で音声をスピーカ１０から出力させ、マナーモードでは、制御部４６は、液晶パネル６に表示される画像の輝度を、ユーザにより設定された輝度から画像を視認可能な範囲で低下させ、且つ、スピーカ１０から出力される音声の音量をミュートする。【選択図】図３
2015002542.tif 000002
【特許請求の範囲】
【請求項１】
画像を表示する表示部と、
音声を出力するスピーカと、
前記表示部に表示される前記画像の輝度及び前記スピーカから出力される前記音声の音量をそれぞれ制御する制御部と、
ユーザの操作を受け付ける受付部と、を備え、
前記制御部は、前記受付部により受け付けられた前記ユーザの操作に基づいて、第１のモードと第２のモードとに切り替え可能であり、
前記第１のモードでは、前記制御部は、前記ユーザにより設定された輝度で前記画像を前記表示部に表示させ、且つ、前記ユーザにより設定された音量で前記音声を前記スピーカから出力させ、
前記第２のモードでは、前記制御部は、前記表示部に表示される前記画像の輝度を、前記設定された輝度から前記画像を視認可能な範囲で低下させ、且つ、前記スピーカから出力される前記音声の音量をミュートする
表示装置。
【請求項２】
さらに、前記表示部の背面に光を照射するバックライトを備え、
前記制御部は、前記バックライトの出力を制御することによって、前記表示部に表示される前記画像の輝度を制御する
請求項１に記載の表示装置。
【請求項３】
さらに、前記スピーカを駆動するアンプを備え、
前記制御部は、前記アンプの出力を制御することによって、前記スピーカから出力される前記音声の音量を制御する
請求項１又は２に記載の表示装置。
【請求項４】
前記第２のモードにおける前記画像の輝度は、設定変更可能である
請求項１〜３のいずれか１項に記載の表示装置。
【請求項５】
前記第２のモードにおける前記音声の音量は、設定変更可能である
請求項１〜４のいずれか１項に記載の表示装置。
【請求項６】
さらに、放送信号を受信するチューナと、
受信した前記放送信号の放送番組を録画するための記憶部と、を備え、
前記画像及び前記音声はそれぞれ、前記放送番組の番組画像及び番組音声であり、
前記制御部は、前記第１のモードから前記第２のモードに切り替えられた際に、前記ユーザが視聴している前記放送番組の録画を開始する
請求項１〜５のいずれか１項に記載の表示装置。
【請求項７】
前記制御部は、前記記憶部に録画された前記放送番組に複数のチャプタを設定する
請求項６に記載の表示装置。
【請求項８】
前記制御部は、前記第１のモードから前記第２のモードに切り替えられた際に、前記第２のモードに切り替えられている間の経過時間を前記表示部に表示させる
請求項１〜７のいずれか１項に記載の表示装置。
【請求項９】
前記制御部は、さらに、前記第１のモードから前記第２のモードに切り替えられた際に、前記第２のモードに切り替えられている間の経過時間だけ前記ユーザが通話したと仮定した場合の電話料金を、前記表示部に表示させる
請求項８に記載の表示装置。
【発明の詳細な説明】
【技術分野】
【０００１】
本発明は、画像を表示する表示部及び音声を出力するスピーカを備えた表示装置に関する。
【背景技術】
【０００２】
例えば液晶テレビジョン受像機等のように、画像を表示する表示部及び音声を出力するスピーカを備えた表示装置が知られている。表示装置を遠隔操作するためのリモートコントローラ（以下、「リモコン」という）には、ミュートボタンが設けられている（例えば、特許文献１参照）。このミュートボタンは、消音モードに切り替えるためのボタンである。消音モードでは、スピーカから出力される音声の音量がミュート（消音）される。
【０００３】
例えば、ユーザが放送番組等を視聴している最中に電話がかかってきた場合には、ユーザは、電話の相手の声を聞き取りやすくするために、リモコンのミュートボタンを押すことにより消音モードに切り替えることが多い。
【先行技術文献】
【特許文献】
【０００４】
【特許文献１】特開２００５−１０９５９３号公報
【発明の概要】
【発明が解決しようとする課題】
【０００５】
上述した従来の表示装置では、次のような課題が生じる。消音モードに切り替えた場合であっても、表示部には画像が表示され続けている。そのため、ユーザは、表示部に表示された画像のチラつきが視界に入って気になってしまい、電話に集中することができないおそれがある。
【０００６】
なお、電話がかかってきた際に、ユーザがリモコンを操作することにより表示装置の電源をオフする方法も考えられる。しかしながら、この方法では、次のような課題が生じる。一般に、表示装置の電源の起動には、例えば数秒〜十数秒程度の時間を要する。そのため、ユーザが電話を切った後に表示装置の電源を再びオンした際に、すぐに放送番組等の視聴に戻ることができない。
【０００７】
本発明は、上述した課題を解決しようとするものであり、その目的は、表示装置の電源をオンした状態のままでユーザが電話等に集中することができる表示装置を提供することである。
【課題を解決するための手段】
【０００８】
上記目的を達成するために、本発明の一態様に係る表示装置は、画像を表示する表示部と、音声を出力するスピーカと、前記表示部に表示される前記画像の輝度及び前記スピーカから出力される前記音声の音量をそれぞれ制御する制御部と、ユーザの操作を受け付ける受付部と、を備え、前記制御部は、前記受付部により受け付けられた前記ユーザの操作に基づいて、第１のモードと第２のモードとに切り替え可能であり、前記第１のモードでは、前記制御部は、前記ユーザにより設定された輝度で前記画像を前記表示部に表示させ、且つ、前記ユーザにより設定された音量で前記音声を前記スピーカから出力させ、前記第２のモードでは、前記制御部は、前記表示部に表示される前記画像の輝度を、前記設定された輝度から前記画像を視認可能な範囲で低下させ、且つ、前記スピーカから出力される前記音声の音量をミュートする。
【０００９】
本態様によれば、第２のモードでは、制御部は、表示部に表示される画像の輝度を、ユーザにより設定された輝度から画像を視認可能な範囲で低下させ、且つ、スピーカから出力される音声の音量をミュートする。これにより、例えばユーザが表示装置で放送番組等を視聴している最中に電話がかかってきた場合（又は来客があった場合）に、第１のモードから第２のモードに切り替えられることにより、表示部に表示された画像のチラつきが抑えられるので、ユーザは、電話（又は来客対応）に集中することができる。さらに、第２のモード時に、ユーザは、表示部に表示された画像をぼんやりと視認することができるので、例えば電話中に（又は来客対応中に）放送番組等の内容が気になったときには、放送番組等を視聴することができる。さらに、表示装置の電源をオンした状態のままで、表示部に表示される画像の輝度を低下させるので、例えばユーザが電話を切った後に（又は来客対応が終わった後に）第２のモードから第１のモードに切り替えることにより、すぐに放送番組等の視聴に戻ることができる。
【００１０】
例えば、本発明の一態様に係る表示装置において、さらに、前記表示部の背面に光を照射するバックライトを備え、前記制御部は、前記バックライトの出力を制御することによって、前記表示部に表示される前記画像の輝度を制御するように構成してもよい。
【００１１】
本態様によれば、制御部は、バックライトの出力を制御することによって、表示部に表示される画像の輝度を制御することができる。
【００１２】
例えば、本発明の一態様に係る表示装置において、さらに、前記スピーカを駆動するアンプを備え、前記制御部は、前記アンプの出力を制御することによって、前記スピーカから出力される前記音声の音量を制御するように構成してもよい。
【００１３】
本態様によれば、制御部は、アンプの出力を制御することによって、スピーカから出力される音声の音量を制御することができる。
【００１４】
例えば、本発明の一態様に係る表示装置において、前記第２のモードにおける前記画像の輝度は、設定変更可能であるように構成してもよい。
【００１５】
本態様によれば、第２のモードにおける画像の輝度を、ユーザの好みに応じて設定変更することができる。
【００１６】
例えば、本発明の一態様に係る表示装置において、前記第２のモードにおける前記音声の音量は、設定変更可能であるように構成してもよい。
【００１７】
本態様によれば、第２のモードにおける音声の音量を、ユーザの好みに応じて設定変更することができる。
【００１８】
例えば、本発明の一態様に係る表示装置において、さらに、放送信号を受信するチューナと、受信した前記放送信号の放送番組を録画するための記憶部と、を備え、前記画像及び前記音声はそれぞれ、前記放送番組の番組画像及び番組音声であり、前記制御部は、前記第１のモードから前記第２のモードに切り替えられた際に、前記ユーザが視聴している前記放送番組の録画を開始するように構成してもよい。
【００１９】
本態様によれば、制御部は、第１のモードから第２のモードに切り替えられた際に、ユーザが視聴している放送番組の録画を開始するので、ユーザは、第２のモードから第１のモードに切り替えられた後に、録画された放送番組を視聴することができる。これにより、ユーザは、例えば第２のモード中に見逃した放送番組のシーンを視聴することができる。
【００２０】
例えば、本発明の一態様に係る表示装置において、前記制御部は、前記記憶部に録画された前記放送番組に複数のチャプタを設定するように構成してもよい。
【００２１】
本態様によれば、制御部は、記憶部に録画された放送番組に複数のチャプタを設定するので、ユーザは、複数のチャプタのうち任意のチャプタを選択することにより、例えば見たいシーンから放送番組を視聴することができる。
【００２２】
例えば、本発明の一態様に係る表示装置において、前記制御部は、前記第１のモードから前記第２のモードに切り替えられた際に、前記第２のモードに切り替えられている間の経過時間を前記表示部に表示させるように構成してもよい。
【００２３】
本態様によれば、ユーザは、第２のモード時に表示部を見ることにより、第２のモードに切り替えられている間の経過時間を知ることができる。
【００２４】
例えば、本発明の一態様に係る表示装置において、前記制御部は、さらに、前記第１のモードから前記第２のモードに切り替えられた際に、前記第２のモードに切り替えられている間の経過時間だけ前記ユーザが通話したと仮定した場合の電話料金を、前記表示部に表示させるように構成してもよい。
【００２５】
本態様によれば、ユーザは、第２のモード時に電話をしている際に表示部を見ることにより、電話料金を知ることができる。
【００２６】
なお、本発明は、このような特徴的な制御部を備える表示装置として実現することができるだけでなく、表示装置に含まれる特徴的な制御部が実行する処理をステップとする表示方法として実現することができる。また、表示装置に含まれる特徴的な制御部としてコンピュータを機能させるためのプログラム又は表示方法に含まれる特徴的なステップをコンピュータに実行させるプログラムとして実現することもできる。そして、そのようなプログラムを、ＣＤ−ＲＯＭ（Ｃｏｍｐａｃｔ  Ｄｉｓｃ−Ｒｅａｄ  Ｏｎｌｙ  Ｍｅｍｏｒｙ）等のコンピュータ読取可能な非一時的な記録媒体やインターネット等の通信ネットワークを介して流通させることができるのは、言うまでもない。
【発明の効果】
【００２７】
本発明の一態様に係る表示装置によれば、表示装置の電源をオンした状態のままでユーザが電話等に集中することができる。
【図面の簡単な説明】
【００２８】
【図１】実施の形態１に係る表示装置の外観を示す斜視図である。
【図２】実施の形態１に係る表示装置を遠隔操作するためのリモコンを示す図である。
【図３】実施の形態１に係る表示装置の機能的構成を示すブロック図である。
【図４】液晶パネルに輝度設定画面がＯＳＤ表示された状態を示す図である。
【図５】液晶パネルに音量レベル表示がＯＳＤ表示された状態を示す図である。
【図６】通常モードとマナーモードとの切り替えの流れを示すフローチャートである。
【図７】通常モード時に液晶パネルに画像が表示された状態を示す図である。
【図８】マナーモード時に液晶パネルに画像が表示された状態を示す図である。
【図９】液晶パネルにマナーモード設定画面がＯＳＤ表示された状態を示す図である。
【図１０】実施の形態２に係る表示装置の機能的構成を示すブロック図である。
【図１１】実施の形態２に係る表示装置の制御部による、通常モードとマナーモードとの切り替えの流れを示すフローチャートである。
【図１２】液晶パネルにチャプタ選択画面がＯＳＤ表示された状態を示す図である。
【図１３】実施の形態３に係る表示装置の機能的構成を示すブロック図である。
【図１４】液晶パネルに経過時間及び電話料金が表示された状態を示す図である。
【発明を実施するための形態】
【００２９】
以下、本発明の実施の形態について、図面を用いて詳細に説明する。なお、以下で説明する実施の形態は、いずれも本発明の好ましい一具体例を示すものである。以下の実施の形態で示される数値、形状、材料、構成要素、構成要素の配置位置及び接続形態、ステップ、ステップの順序等は、一例であり、本発明を限定する主旨ではない。本発明は、特許請求の範囲によって特定される。よって、以下の実施の形態における構成要素のうち、独立請求項に記載されていない構成要素については、本発明の課題を達成するのに必ずしも必要ではないが、より好ましい形態を構成するものとして説明される。
【００３０】
（実施の形態１）
［表示装置の概略構成］
まず、図１及び図２を参照しながら、実施の形態１に係る表示装置の概略構成について説明する。図１は、実施の形態１に係る表示装置の外観を示す斜視図である。図２は、実施の形態１に係る表示装置を遠隔操作するためのリモコンを示す図である。
【００３１】
図１に示すように、本実施の形態の表示装置２は、液晶テレビジョン受像機である。表示装置２の筐体４の内部には、液晶パネル６（表示部を構成する）、バックライト８（後述する図３参照）及びスピーカ１０が設けられている。
【００３２】
液晶パネル６は、画像を表示するためのものである。液晶パネル６の表示領域は、筐体４の前面に設けられた矩形状の開口部を通して外部に露出されている。
【００３３】
バックライト８は、液晶パネル６の背面に光を照射するためのものである。バックライト８は、例えば、配線基板（図示せず）と、配線基板に実装された複数のＬＥＤ（Ｌｉｇｈｔ  Ｅｍｉｔｔｉｎｇ  Ｄｉｏｄｅ）（図示せず）とで構成されている。
【００３４】
スピーカ１０は、音声を出力するためのものである。スピーカ１０は、例えば筐体４の下部に配置されている。
【００３５】
上述した表示装置２は、図２に示すリモコン１２を用いることにより遠隔操作することができる。このリモコン１２は、ユーザによって操作される。リモコン１２には、例えば、電源ボタン１４、ボリュームボタン１６、ミュートボタン１８、メニューボタン２０、十字ボタン２２及び決定ボタン２４等が設けられている。電源ボタン１４は、表示装置２の電源をオン又はオフするためのボタンである。ボリュームボタン１６は、スピーカ１０から出力される音声の音量を設定するためのボタンである。ミュートボタン１８は、スピーカ１０から出力される音声の音量をミュートする消音モードに切り替えるためのボタンである。なお、本明細書において、「ミュートする」とは、スピーカ１０から音声を全く出力させないこと、乃至、スピーカ１０から出力される音声の音量を、音声が聞き取れない程度まで低下させることである。メニューボタン２０は、液晶パネル６にメニュー画面等をＯＳＤ（Ｏｎ−Ｓｃｒｅｅｎ  Ｄｉｓｐｌａｙ）表示させるためのボタンである。十字ボタン２２及び決定ボタン２４はそれぞれ、ＯＳＤ表示されたメニュー画面等を操作するためのボタンである。
【００３６】
リモコン１２には、さらに、マナーモードボタン２６が設けられている。このマナーモードボタン２６は、本実施の形態の表示装置２の特徴的な機能である、通常モード（第１のモードを構成する）とマナーモード（第２のモードを構成する）との切り替えを実行するためのボタンである。通常モードとは、ユーザにより設定された輝度で液晶パネル６に画像を表示させ、且つ、ユーザにより設定された音量でスピーカ１０から音声を出力させるモードである。マナーモードとは、液晶パネル６に表示される画像の輝度を、ユーザにより設定された輝度から画像を視認可能な範囲で低下させ、且つ、スピーカ１０から出力される音声の音量をミュートするモードである。なお、「画像を視認可能な範囲」とは、液晶パネル６にどんな画像が表示されているかをぼんやりと認識できる程度という意味である。マナーモードボタン２６を操作する（押し下げる）ことにより、通常モードからマナーモードに切り替えられ、マナーモードボタン２６を再度操作することにより、マナーモードから通常モードに切り替えられる。通常モードとマナーモードとの切り替えについては、後で詳述する。
【００３７】
［表示装置の機能的構成］
次に、図３をも参照しながら、上述した表示装置２の機能的構成について説明する。図３は、実施の形態１に係る表示装置の機能的構成を示すブロック図である。
【００３８】
図３に示すように、表示装置２は、上述した液晶パネル６、バックライト８及びスピーカ１０に加えて、チューナ２８、復調部３０、デマルチプレクサ３２、画像デコーダ３４、ＯＳＤ処理部３６、画像出力部３８、調光部４０、音声デコーダ４２、アンプ４４、制御部４６及びリモコン受光部４８（受付部を構成する）を備えている。
【００３９】
表示装置２の外部には、アンテナ５０が設けられている。アンテナ５０は、チューナ２８と接続されており、テレビジョン放送局（図示せず）から発信された放送信号を受信する。
【００４０】
チューナ２８は、アンテナ５０からの放送信号を受信する。チューナ２８は、受信した放送信号から所定のチャンネルの放送信号を抽出し、抽出した放送信号を復調部３０に出力する。
【００４１】
復調部３０は、チューナ２８から出力された放送信号に対してデジタル復調及び誤り訂正等の処理を実行することにより、トランスポートストリーム（ＴＳ：Ｔｒａｎｓｐｏｒｔ  Ｓｔｒｅａｍ）を生成する。なお、トランスポートストリームとは、デジタル化された画像ストリーム、音声ストリーム及びそれらに付随するシステム情報を重畳したビットストリームである。復調部３０は、生成したトランスポートストリームをデマルチプレクサ３２に出力する。
【００４２】
デマルチプレクサ３２は、トランスポートストリームから画像ストリームを抽出し、抽出した画像ストリームを画像デコーダ３４に出力する。さらに、デマルチプレクサ３２は、トランスポートストリームから音声ストリームを抽出し、抽出した音声ストリームを音声デコーダ４２に出力する。
【００４３】
画像デコーダ３４は、デマルチプレクサ３２から出力された画像ストリームをデコードすることにより、デジタル画像データを生成する。画像デコーダ３４は、生成したデジタル画像データを、ＯＳＤ処理部３６を介して画像出力部３８に出力する。
【００４４】
ＯＳＤ処理部３６は、画像デコーダ３４から出力されたデジタル画像データに対して、制御部４６から出力されたＯＳＤ画像データを重畳させる。ＯＳＤ処理部３６は、ＯＳＤ画像データを重畳させたデジタル画像データを、画像出力部３８に出力する。
【００４５】
画像出力部３８は、ＯＳＤ処理部３６から出力されたデジタル画像データに基づいて、液晶パネル６での表示動作に必要な駆動信号を生成する。画像出力部３８は、生成した駆動信号を液晶パネル６に出力する。液晶パネル６は、画像出力部３８から出力された駆動信号に基づいて、画像（例えば、放送番組の番組画像等）を表示する。
【００４６】
調光部４０は、例えばインバータで構成されている。調光部４０は、後述する制御部４６からの調光信号に基づいて、バックライト８を駆動するための駆動電流をバックライト８に供給する。
【００４７】
音声デコーダ４２は、デマルチプレクサ３２から出力された音声ストリームをデコードすることにより、デジタル音声データを生成する。音声デコーダ４２は、生成したデジタル音声データをアンプ４４に出力する。
【００４８】
アンプ４４は、後述する制御部４６からの増幅信号に基づいて、音声デコーダ４２から出力されたデジタル音声データを増幅する。アンプ４４は、増幅したデジタル音声データをスピーカ１０に出力することにより、スピーカ１０を駆動する。スピーカ１０は、アンプ４４から出力されたデジタル音声データに基づいて、音声（例えば、放送番組の番組音声等）を出力する。
【００４９】
制御部４６は、例えばマイクロコンピュータで構成されている。制御部４６は、メモリ（図示せず）に格納された制御プログラムに基づいて、表示装置２の上述した各構成要素を統括的に制御する。
【００５０】
リモコン受光部４８は、リモコン１２から出力されたリモコン信号を受信する。リモコン受光部４８は、受信したリモコン信号をリモコンコードに変換し、このリモコンコードを制御部４６に出力する。制御部４６は、リモコン受光部４８から出力されたリモコンコードに基づいて、各種の制御（例えば、表示装置２の電源のオン又はオフ、音量の設定、通常モードとマナーモードとの切り替え等）を行う。すなわち、リモコン受光部４８は、ユーザによるリモコン１２の操作を受け付ける。さらに、制御部４６は、リモコン受光部４８により受け付けられたユーザの操作に基づいて、例えば通常モードとマナーモードとの切り替え等を実行する。
【００５１】
ここで、図４及び図５をも参照しながら、制御部４６の有する複数の機能のうち、液晶パネル６に表示される画像の輝度を制御する機能と、スピーカ１０から出力される音声の音量を制御する機能とについて説明する。図４は、液晶パネルに輝度設定画面がＯＳＤ表示された状態を示す図である。図５は、液晶パネルに音量レベル表示がＯＳＤ表示された状態を示す図である。
【００５２】
まず、輝度を制御する機能について説明する。図４に示すように、液晶パネル６に輝度設定画面５２がＯＳＤ表示された状態で、ユーザは、リモコン１２の十字ボタン２２及び決定ボタン２４を操作することにより、通常モード時に液晶パネル６に表示される画像の輝度を設定することができる。例えば、ユーザにより設定可能な輝度のレベルは、「０」〜「１００」のレベル範囲で任意に設定することができる。ユーザにより設定された輝度は、メモリ（図示せず）に記憶される。なお、輝度設定画面５２は、例えば上述したメニュー画面から呼び出すことができる。
【００５３】
制御部４６は、ユーザにより設定された輝度に対応する調光信号を調光部４０に出力する。調光部４０によってバックライト８に供給される駆動電流は、上記調光信号に基づいてＰＷＭ（Ｐｕｌｓｅ  Ｗｉｄｔｈ  Ｍｏｄｕｌａｔｉｏｎ）制御される。パルスのデューティ比が可変されることによって、バックライト８の出力が増減される。すなわち、制御部４６は、バックライト８の出力を制御することにより、液晶パネル６に表示される画像の輝度を制御する。
【００５４】
さらに、ユーザがリモコン１２のマナーモードボタン２６を操作することにより、通常モードからマナーモードに切り替えられた際には、制御部４６は、輝度低下信号を調光部４０に出力する。なお、輝度低下信号とは、液晶パネル６に表示される画像の輝度をユーザにより設定された輝度から低下するように、調光部４０に命令するための信号である。マナーモードにおける画像の輝度は、予め設定されており、メモリ（図示せず）に記憶されている。例えば、設定可能な輝度のレベルの範囲が「０」〜「１００」であり、且つ、画像を視認可能な輝度のレベルが「１０」〜「１００」である場合には、マナーモード時の輝度のレベルは、「３０」に設定される。この場合、マナーモード時の輝度のレベルは、例えば「１０」〜「３０」の範囲で設定される。調光部４０によりバックライト８に供給される駆動電流の大きさは、上記輝度低下信号に基づいて減少する。これにより、マナーモード時に液晶パネル６に表示される画像の輝度は、ユーザにより設定された輝度から画像を視認可能な範囲で低下する。
【００５５】
次に、音量を制御する機能について説明する。ユーザは、通常モード時にリモコン１２のボリュームボタン１６を操作することにより、スピーカ１０から出力される音声の音量を設定することができる。このとき、図５に示すように、液晶パネル６には、設定された音量のレベルを表す音量レベル表示５４がＯＳＤ表示される。例えば、ユーザにより設定可能な音量のレベルは、「０」〜「１００」のレベルの範囲で任意に設定することができる。ユーザにより設定された音量は、メモリ（図示せず）に記憶される。
【００５６】
制御部４６は、ユーザにより設定された音量に対応する増幅信号をアンプ４４に出力する。アンプ４４を駆動するための駆動電圧は、上記増幅信号に基づいてＰＷＭ制御される。パルスのデューティ比が可変されることによって、アンプ４４によるデジタル音声データの増幅率が増減される。すなわち、制御部４６は、アンプ４４の出力を制御することにより、スピーカ１０から出力される音声の音量を制御する。
【００５７】
さらに、ユーザがリモコン１２のミュートボタン１８又はマナーモードボタン２６を操作した際には、制御部４６は、ミュート信号をアンプ４４に出力する。なお、ミュート信号とは、スピーカ１０から出力される音声の音量をミュートするように、アンプ４４に命令するための信号である。アンプ４４によるデジタル音声データの増幅率は、上記ミュート信号に基づいて減少する。これにより、消音モード時又はマナーモード時に、スピーカ１０から出力される音声の音量がミュートされる。
【００５８】
［通常モードとマナーモードとの切り替え］
次に、図６〜図８をも参照しながら、本実施の形態の表示装置２の特徴的な機能である、通常モードとマナーモードとの切り替えについて説明する。図６は、通常モードとマナーモードとの切り替えの流れを示すフローチャートである。図７は、通常モード時に液晶パネルに画像が表示された状態を示す図である。図８は、マナーモード時に液晶パネルに画像が表示された状態を示す図である。
【００５９】
制御部４６は、通常モードとマナーモードとを切り替える機能を有している。図６に示すように、ユーザがリモコン１２のマナーモードボタン２６を操作していない場合には（Ｓ１０でＮＯ）、制御部４６は通常モードを維持する（Ｓ１１）。図７に示すように、通常モードでは、制御部４６は、ユーザにより設定された輝度（例えば、輝度のレベル「７０」）で液晶パネル６に画像５６を表示させ、且つ、ユーザにより設定された音量（例えば、音量のレベル「２０」）でスピーカ１０から音声を出力させる（Ｓ１２）。
【００６０】
一方、ユーザがリモコン１２のマナーモードボタン２６を操作した場合には（Ｓ１０でＹＥＳ）、制御部４６は、通常モードからマナーモードに切り替える（Ｓ１３）。マナーモードに切り替えられた際に、制御部４６は、調光部４０に輝度低下信号を出力するとともに、アンプ４４にミュート信号を出力する（Ｓ１４）。
【００６１】
これにより、スピーカ１０から出力される音声の音量がミュートされる（Ｓ１５）。さらに、図８に示すように、液晶パネル６に表示される画像５６の輝度は、ユーザにより設定された輝度から画像５６を視認可能な範囲で低下する（Ｓ１５）。例えば、設定可能な輝度のレベルの範囲が「０」〜「１００」であり、ユーザにより設定された輝度のレベルが「７０」である場合、マナーモード時の輝度のレベルは、「７０」から「３０」まで低下する。なお、図８に示すように、液晶パネル６の表示領域の左上部分には、現在マナーモードに切り替えられていることを示す文字列５８が表示されている。
【００６２】
その後、ユーザがリモコン１２のマナーモードボタン２６を操作していない場合には（Ｓ１６でＮＯ）、制御部４６は、マナーモードを維持する（Ｓ１７）。一方、ユーザがリモコン１２のマナーモードボタン２６を操作した場合には（Ｓ１６でＹＥＳ）、制御部４６は、マナーモードから通常モードに切り替える（Ｓ１８）。通常モードに切り替えられた際に、制御部４６は、調光部４０への輝度低下信号の出力を解除するとともに、アンプ４４へのミュート信号の出力を解除する（Ｓ１９）。これにより、制御部４６は、上述と同様に、ユーザにより設定された輝度で液晶パネル６に画像５６を表示させ、且つ、ユーザにより設定された音量でスピーカ１０から音声を出力させる（Ｓ１２）。
【００６３】
なお、マナーモード時の画像５６の輝度及び音声の音量をそれぞれユーザにより設定変更可能なように構成してもよい。図９は、液晶パネルにマナーモード設定画面がＯＳＤ表示された状態を示す図である。
【００６４】
図９に示すように、上述した液晶パネル６にマナーモード設定画面６０がＯＳＤ表示された状態で、ユーザは、リモコン１２の十字ボタン２２を操作することにより、カーソル６２で輝度設定表示６４又は音量設定表示６６を選択する。なお、マナーモード設定画面６０は、通常モード時又はマナーモード時に、上述したメニュー画面から呼び出すことができる。その後、ユーザは、リモコン１２の十字ボタン２２をさらに操作することにより、マナーモード時の画像５６の輝度又は音声の音量を設定変更することができる。ユーザにより設定変更されたマナーモード時の画像５６の輝度及び音声の音量はそれぞれ、メモリ（図示せず）に記憶される。
【００６５】
例えば、設定可能な輝度のレベルの範囲が「０」〜「１００」である場合、設定変更可能なマナーモード時の輝度のレベルの範囲は、「１０」〜「３０」である。この輝度のレベルの範囲は、画像５６を視認可能な輝度のレベルの範囲と同じである。また、例えば、設定可能な音量のレベルの範囲が「０」〜「１００」である場合、設定変更可能なマナーモード時の音量のレベルの範囲は、「０」〜「１０」である。この音量のレベルの範囲は、音声が聞き取れないレベルの範囲と同じである。
【００６６】
［効果］
次に、本実施の形態の表示装置２により得られる効果について説明する。例えば、ユーザが表示装置２で放送番組等を視聴している最中に電話がかかってきた場合（又は来客があった場合）には、ユーザは、リモコン１２のマナーモードボタン２６を操作する。これにより、上述したように、制御部４６は、液晶パネル６に表示される画像５６の輝度を、ユーザにより設定された輝度から画像５６を視認可能な範囲で低下させ、且つ、スピーカ１０から出力される音声の音量をミュートする。従って、液晶パネル６に表示された画像５６のチラつきが抑えられるので、ユーザは、電話（又は来客対応）に集中することができる。
【００６７】
さらに、マナーモード時において、ユーザは、液晶パネル６に表示された画像５６をぼんやりと視認することができる。これにより、ユーザは、例えば電話中に（又は来客対応中に）放送番組等の内容が気になったときには、放送番組等を視聴することができる。
【００６８】
さらに、表示装置２の電源をオンした状態のままで、液晶パネル６に表示される画像５６の輝度を低下させるので、ユーザが電話を切った後に（又は来客対応が終わった後に）リモコン１２のマナーモードボタン２６を操作することにより、すぐに放送番組等の視聴に戻ることができる。
【００６９】
（実施の形態２）
次に、図１０を参照しながら、実施の形態２に係る表示装置の機能的構成について説明する。図１０は、実施の形態２に係る表示装置の機能的構成を示すブロック図である。なお、以下に示す各実施の形態において、上記実施の形態１と同一の構成要素には同一の符号を付して、その説明を省略する。
【００７０】
図１０に示すように、本実施の形態の表示装置２Ａは、さらに、記憶部６８を備えている。記憶部６８は、例えばハードディスク等である。記憶部６８には、チューナ２８により受信された放送信号の放送番組が録画（記憶）される。
【００７１】
制御部４６Ａは、通常モードからマナーモードに切り替えられた際に、ユーザが視聴している放送番組の録画を開始する機能を有している。制御部４６Ａは、さらに、記憶部６８に録画された放送番組に複数のチャプタを設定する機能と、記憶部６８に録画された放送番組をチャプタ毎に再生する機能と、を有している。
【００７２】
次に、図１１及び図１２を参照しながら、制御部４６Ａの上述した機能について説明する。図１１は、実施の形態２に係る表示装置の制御部による、通常モードとマナーモードとの切り替えの流れを示すフローチャートである。図１２は、液晶パネルにチャプタ選択画面がＯＳＤ表示された状態を示す図である。なお、図１１において、図６と同一のステップには同一のステップ番号を付しており、その説明を省略する。
【００７３】
図１１に示すように、通常モードからマナーモードに切り替えられた際に（Ｓ１３）、制御部４６Ａは、ユーザが視聴している放送番組の録画を開始する（Ｓ３０）。記憶部６８には、ユーザが視聴している放送番組が録画される。なお、本実施の形態では、液晶パネル６に表示される画像は放送番組の番組画像であり、スピーカ１０から出力される音声は放送番組の番組音声である。その後、マナーモードから通常モードに切り替えられた際に（Ｓ１８）、制御部４６Ａは、放送番組の録画を停止する（Ｓ３１）。その後、制御部４６Ａは、録画された放送番組に複数のチャプタを設定する（Ｓ３２）。これら複数のチャプタは、録画開始時点から５分毎に設定される。例えば、３つのチャプタ１、チャプタ２及びチャプタ３が設定された場合、チャプタ１の再生開始時点は録画開始時点であり、チャプタ２の再生開始時点は録画開始時点から５分経過後の時点であり、チャプタ３の再生開始時点は録画開始時点から１０分経過後の時点である。
【００７４】
マナーモードから通常モードに切り替えられた後、図１２に示すように、液晶パネル６にチャプタ選択画面７０がＯＳＤ表示された状態で、ユーザは、リモコン１２の十字ボタン２２を操作することにより、カーソル７２で複数のチャプタの中から任意のチャプタを選択することができる。例えば、ユーザがチャプタ２を選択した場合には、制御部４６Ａは、録画された放送番組を録画開始時点から５分経過後の時点から再生する。なお、チャプタ選択画面７０は、上述したメニュー画面から呼び出すことができる。
【００７５】
本実施の形態の表示装置２では、次のような効果を得ることができる。マナーモードから通常モードに切り替えられた後に、録画された放送番組を再生することにより、ユーザは、例えばマナーモード中に見逃した放送番組のシーンを視聴することができる。さらに、ユーザは、任意のチャプタを選択することにより、例えば見たいシーンから放送番組を視聴することができる。
【００７６】
（実施の形態３）
次に、図１３及び図１４を参照しながら、実施の形態３に係る表示装置の機能的構成について説明する。図１３は、実施の形態３に係る表示装置の機能的構成を示すブロック図である。図１４は、液晶パネルに経過時間及び電話料金が表示された状態を示す図である。
【００７７】
図１３に示すように、本実施の形態の表示装置２Ｂの制御部４６Ｂは、タイマ７４及び算出部７６を有している。タイマ７４は、マナーモードに切り替えられている間の経過時間をカウントする。図１４に示すように、制御部４６Ｂは、通常モードからマナーモードに切り替えられた際に、タイマ７４によりカウントされた経過時間を表す時間表示７８を、例えば液晶パネル６の表示領域の左上部分に表示させる。ユーザは、この時間表示７８を見ることによって、マナーモードに切り替えられている間の経過時間を知ることができる。これにより、例えばユーザがマナーモード中に電話をしている場合に、ユーザは、時間表示７８を見ることにより通話時間を大まかに知ることができる。
【００７８】
算出部７６は、タイマ７４によりカウントされた経過時間に基づいて、マナーモードに切り替えられている間の経過時間だけユーザが通話したと仮定した場合の電話料金を算出する。具体的には、算出部７６は、タイマ７４によりカウントされた経過時間に、単位時間当たりの電話料金を乗じることにより、上記経過時間分の電話料金を算出する。図１４に示すように、制御部４６Ｂは、通常モードからマナーモードに切り替えられた際に、算出部７６により算出された電話料金を表す料金表示８０を、例えば液晶パネル６の表示領域の左上部分に表示させる。ユーザは、この料金表示８０を見ることによって、電話料金を知ることができる。
【００７９】
なお、マナーモードから通話モードに切り替えられた際には、制御部４６Ｂは、上述した時間表示７８及び料金表示８０をそれぞれ液晶パネル６に表示させないようにする。
【００８０】
以上、本発明の実施の形態１〜３に係る表示装置について説明したが、本発明は、これらの実施の形態に限定されるものではない。例えば、上記各実施の形態をそれぞれ組み合わせるとしてもよい。
【００８１】
上記各実施の形態では、表示部を液晶パネルで構成したが、これに限定されず、例えば、プラズマディスプレイパネル又は有機ＥＬ（Ｅｌｅｃｔｒｏ  Ｌｕｍｉｎｅｓｃｅｎｃｅ）パネル等で構成することもできる。
【００８２】
上記各実施の形態では、表示装置で放送番組を視聴中に通常モードからマナーモードに切り替える場合について説明したが、これに限定されず、例えば、表示装置と接続された光ディスク装置（例えば、ブルーレイ（登録商標）ディスクプレーヤ等）で光ディスクを再生中に、通常モードからマナーモードに切り替えることもできる。この場合、液晶パネルに表示される画像は、光ディスクに記憶されたコンテンツの画像であり、スピーカから出力される音声は、光ディスクに記憶されたコンテンツの音声である。
【００８３】
また、上記の各装置は、具体的には、マイクロプロセッサ、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ハードディスクドライブ、ディスプレイユニット、キーボード及びマウス等から構成されるコンピュータシステムとして構成されてもよい。ＲＡＭ又はハードディスクドライブには、コンピュータプログラムが記憶されている。マイクロプロセッサが、コンピュータプログラムに従って動作することにより、各装置は、その機能を達成する。ここでコンピュータプログラムは、所定の機能を達成するために、コンピュータに対する指令を示す命令コードが複数個組み合わされて構成されたものである。
【００８４】
さらに、上記の各装置を構成する構成要素の一部または全部は、１個のシステムＬＳＩ（Ｌａｒｇｅ  Ｓｃａｌｅ  Ｉｎｔｅｇｒａｔｉｏｎ：大規模集積回路）から構成されているとしてもよい。システムＬＳＩは、複数の構成部を１個のチップ上に集積して製造された超多機能ＬＳＩであり、具体的には、マイクロプロセッサ、ＲＯＭ及びＲＡＭ等を含んで構成されるコンピュータシステムである。ＲＡＭには、コンピュータプログラムが記憶されている。マイクロプロセッサが、コンピュータプログラムに従って動作することにより、システムＬＳＩは、その機能を達成する。
【００８５】
さらにまた、上記の各装置を構成する構成要素の一部又は全部は、各装置に脱着可能なＩＣカード又は単体のモジュールから構成されているとしてもよい。ＩＣカード又はモジュールは、マイクロプロセッサ、ＲＯＭ及びＲＡＭ等から構成されるコンピュータシステムである。ＩＣカード又はモジュールは、上記の超多機能ＬＳＩを含むとしてもよい。マイクロプロセッサが、コンピュータプログラムに従って動作することにより、ＩＣカード又はモジュールは、その機能を達成する。このＩＣカード又はこのモジュールは、耐タンパ性を有するとしてもよい。
【００８６】
また、本発明は、上記に示す方法であるとしてもよい。また、本発明は、これらの方法をコンピュータにより実現するコンピュータプログラムであるとしてもよいし、上記コンピュータプログラムからなるデジタル信号であるとしてもよい。
【００８７】
さらに、本発明は、上記コンピュータプログラム又は上記デジタル信号をコンピュータ読み取り可能な非一時的な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ（登録商標）  Ｄｉｓｃ）、半導体メモリ等に記録したものとしてもよい。また、これらの非一時的な記録媒体に記録されている上記デジタル信号であるとしてもよい。
【００８８】
また、本発明は、上記コンピュータプログラム又は上記デジタル信号を、電気通信回線、無線又は有線通信回線、インターネットを代表とするネットワーク、データ放送等を経由して伝送するものとしてもよい。
【００８９】
また、本発明は、マイクロプロセッサ及びメモリを備えたコンピュータシステムであって、上記メモリは、上記コンピュータプログラムを記憶しており、上記マイクロプロセッサは、上記コンピュータプログラムに従って動作するとしてもよい。
【００９０】
また、上記プログラム又は上記デジタル信号を上記非一時的な記録媒体に記録して移送することにより、又は、上記プログラム又は上記デジタル信号を上記ネットワーク等を経由して移送することにより、独立した他のコンピュータシステムにより実施するとしてもよい。
【産業上の利用可能性】
【００９１】
本発明の表示装置は、例えば、液晶テレビジョン受像機等として適用することができる。
【符号の説明】
【００９２】
２，２Ａ，２Ｂ  表示装置
４  筐体
６  液晶パネル
８  バックライト
１０  スピーカ
１２  リモコン
１４  電源ボタン
１６  ボリュームボタン
１８  ミュートボタン
２０  メニューボタン
２２  十字ボタン
２４  決定ボタン
２６  マナーモードボタン
２８  チューナ
３０  復調部
３２  デマルチプレクサ
３４  画像デコーダ
３６  ＯＳＤ処理部
３８  画像出力部
４０  調光部
４２  音声デコーダ
４４  アンプ
４６，４６Ａ，４６Ｂ  制御部
４８  リモコン受光部
５０  アンテナ
５２  輝度設定画面
５４  音量レベル表示
５６  画像
５８  文字列
６０  マナーモード設定画面
６２，７２  カーソル
６４  輝度設定表示
６６  音量設定表示
６８  記憶部
７０  チャプタ選択画面
７４  タイマ
７６  算出部
７８  時間表示
８０  料金表示
【図１】
2015002542.tif 000003
【図２】
2015002542.tif 000004
【図３】
2015002542.tif 000005
【図４】
2015002542.tif 000006
【図５】
2015002542.tif 000007
【図６】
2015002542.tif 000008
【図７】
2015002542.tif 000009
【図８】
2015002542.tif 000010
【図９】
2015002542.tif 000011
【図１０】
2015002542.tif 000012
【図１１】
2015002542.tif 000013
【図１２】
2015002542.tif 000014
【図１３】
2015002542.tif 000015
【図１４】
2015002542.tif 000016